(57)【要約】    【課題】  前面パネルの排出口側での引っ掛かりをなくし、メダル排出通路内のメダルを容易且つ安全に掻き出すことができるようにする。    【解決手段】  前面パネル３に形成された排出口３４を経てメダル等のメダルを受け皿３５へと排出する排出通路４７を前面パネル３の裏側に設け、排出通路４７の少なくとも底壁６２側に、排出口３４の開口縁に内側から重合する重合部７５を設ける。排出通路４７の底壁６２上にメダルを受け皿３５へと滑降させる滑降板６３があり、この滑降板６３の前端側に重合部７５を設ける。【選択図】    図４
2007296044.tif 000002
【特許請求の範囲】
【請求項１】
前面パネル（３）に形成された排出口（３４）を経てメダル等の遊技媒体を受け皿（３５）へと排出する排出通路（４７）を前記前面パネル（３）の裏側に設けた遊技機において、前記排出通路（４７）の少なくとも底壁（６２）側に、前記排出口（３４）の開口縁に内側から重合する重合部（７５）を設けたことを特徴とする遊技機。
【請求項２】
前記排出通路（４７）の底壁（６２）上に、耐摩耗性を有し且つ遊技媒体を前記受け皿（３５）へと滑降させる滑降板（６３）を設け、該滑降板（６３）の前端側に前記重合部（７５）を設けたことを特徴とする請求項１に記載の遊技機。
【請求項３】
前記排出通路（４７）の前端をパネル体（４２）の開口部（５２ａ）に嵌合させると共に、前記開口部（５２ａ）に対応する前記排出口（３４）を有し且つ該排出口（３４）の外周部分で前記排出通路（４７）の前端の下側部分以外の部分を前側から覆う化粧板（５８）を前記パネル体（４２）の前側に設け、該化粧板（５８）の前記排出口（３４）の下側に対応して前記重合部（７５）を設けたことを特徴とする請求項１又は２に記載の遊技機。
【発明の詳細な説明】
【技術分野】
【０００１】
本発明は、スロットマシン等の遊技機に関し、遊技媒体排出通路内の遊技媒体を遊技媒体受け皿側に掻き出す際の爪の引っ掛かりを防止するようにしたものである。
【背景技術】
【０００２】
スロットマシン等の遊技機では、筐体側にメダル払い出し手段を備え、筐体に開閉自在に装着された前面パネルの前側下部にメダル受け皿を、裏側にメダル受け皿に連通するメダル排出通路を夫々備え、メダル選別手段により排除された偽メダルをメダル排出通路を経てメダル受け皿へと排出する一方、メダル払い出し手段のメダル出口に対応してメダル排出通路の後通路壁にメダル入口を形成し、メダル払い出し手段のメダル出口から排出されたメダルを、そのメダル入口からメダル排出通路を経てメダル受け皿へと排出するようにしている（特許文献１）。
【特許文献１】特開２００３−２２５３５３号公報
【発明の開示】
【発明が解決しようとする課題】
【０００３】
この種の遊技機では、短時間に大量のメダルを獲得した場合には、メダル受け皿からメダル排出通路の下部側に跨がってメダルが充満することがある。このような場合には、メダル払い出し手段による後続のメダルの払い出しを円滑にする上からも、メダル排出通路の下部側に充満するメダルをメダル受け皿側へと速やかに掻き出す必要がある。
【０００４】
しかし、従来はメダル排出通路の前端をパネル体の開口に嵌合させた状態で、前端近傍の外周側の当接部をパネル板の裏側に固定すると共に、開口よりも若干小さい排出口を有する化粧板をパネルの前面に装着して、その化粧板の排出口の外周部分でメダル排出通路の前端を前側から覆うようにしている。
【０００５】
このためメダル排出通路の前端と化粧板の排出口の下側開口縁との間に隙間が発生し易い構造になっており、メダル排出通路の下部側のメダルを手で掻き出す際に、指先の爪がメダル排出通路と化粧板の下側開口縁との間に引っ掛かって、化粧板の排出口の開口縁で爪を損傷する等の惧れがあった。
【０００６】
本発明は、このような従来の問題点に鑑み、前面パネルの排出口側での引っ掛かりをなくし、遊技媒体排出通路内の遊技媒体を容易且つ安全に掻き出すことができる遊技機を提供することを目的とする。
【課題を解決するための手段】
【０００７】
本発明は、前面パネル３に形成された排出口３４を経てメダル等の遊技媒体を受け皿３５へと排出する排出通路４７を前記前面パネル３の裏側に設けた遊技機において、前記排出通路４７の少なくとも底壁６２側に、前記排出口３４の開口縁に内側から重合する重合部７５を設けたものである。
【０００８】
前記排出通路４７の底壁６２上に、耐摩耗性を有し且つ遊技媒体を前記受け皿３５へと滑降させる滑降板６３を設け、該滑降板６３の前端側に前記重合部７５を設けてもよい。前記排出通路４７の前端をパネル体４２の開口部５２ａに嵌合させると共に、前記開口部５２ａに対応する前記排出口３４を有し且つ該排出口３４の外周部分で前記排出通路４７の前端の下側部分以外の部分を前側から覆う化粧板５８を前記パネル体４２の前側に設け、該化粧板５８の前記排出口３４の下側に対応して前記重合部７５を設けてもよい。
【発明の効果】
【０００９】
本発明では、前面パネル３の排出口３４側での引っ掛かりをなくし、遊技媒体排出通路４７内の遊技媒体を容易且つ安全に掻き出すことができる。
【発明を実施するための最良の形態】
【００１０】
以下、本発明の実施形態を図面に基づいて詳述する。図１〜図８は本発明をスロットマシンとして具現化した第１の実施例を例示する。図１及び図２において、１は遊技機本体であり、筐体２と、この筐体２の前側に配置された矩形状の前面パネル３とを備えている。
【００１１】
筐体２は前側が開放する箱形に形成されており、その前側を開閉自在に閉鎖するように前面パネル３が装着されている。筐体２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が格納された主制御基板ケース１４等が配置されている。表示リールユニット９は、筐体２の中間棚１５上に着脱自在に装着されている。
【００１２】
メダル払い出し装置１０は、図２に示すように払い出し用のメダルを貯留するメダルホッパー１６と、メダルホッパー１６内のメダルを払い出すメダル払い出し手段１７と、メダルホッパー１６から溢れたメダルをメダル補助ケース１１側に排出する余剰メダル排出口１８等を備え、底板６上に着脱自在に装着されている。
【００１３】
前面パネル３は左右一端側に配置されたヒンジ手段（図示省略）を介して筐体２に対して開閉自在に装着されており、その上部側には第１表示窓２３と第２表示窓２４とが上下に配置されている。第１表示窓２３は、筐体２側の図柄表示リール８ａ〜８ｃに対応して矩形状に形成されており、遊技者はこの第１表示窓２３を介して図柄表示リール８ａ〜８ｃを前側から視認可能となっている。
【００１４】
第２表示窓２４は、前面パネル３の裏側に装着された液晶表示ユニット（図示省略）の表示画面２５に対応して、第１表示窓２３よりも大型の矩形状に形成されており、遊技者はこの第２表示窓２４を介して表示画面２５を前側から視認可能となっている。第２表示窓２４の下側には、上部側に横長状の操作パネル部２６を有する前カバー２０が前側に張り出して設けられている。
【００１５】
操作パネル部２６は上面側と前面側とにあり、その上面側には遊技媒体としてのメダルを投入可能なメダル投入口２７の他、１ベットボタン２８、マックスベットボタン２９及びキャンセルボタン３０が設けられている。１ベットボタン２８、マックスベットボタン２９は、メダル投入口２７へのメダル投入に代えてクレジットからメダルをベットするためのものである。
【００１６】
操作パネル部２６の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２７内に詰まったメダルを返却させるための返却ボタン３３等が設けられている。
【００１７】
前面パネル３の下部側は前カバー２０に比して大きく後方に後退しており、この前面パネル３の下部側には、メダル払い出し手段１７から払い出されたメダルや返却されたメダルを前側に排出するための排出口３４が形成された化粧板５８が装着され、またその前側に、排出口３４から排出されたメダルを受けるメダル受け皿３５と、このメダル受け皿３５の一側に配置された灰皿３６とが設けられている。なお、排出口３４の左右両側には、スピーカ３７が配置されている。
【００１８】
メダル払い出し手段１７は、図２に示すように、メダルホッパー１６の下側の払い出しケース３８内で傾斜軸廻りに回転する回転円板３９と、この回転円板３９を駆動する駆動モータとを備え、その回転円板３９の回転により、払い出しケース３８の前側のメダル出口４０からメダルを前方へと払い出すように構成され、またメダルの払い出し毎に間欠的に作動するメダル出口４０側の可動片（図示省略）を介してメダルを検出するスイッチ４１が設けられている。
【００１９】
前面パネル３は、合成樹脂材料により一体に成型され且つその骨格体を構成するパネル体４２を備え、このパネル体４２の前面側に装飾用の前カバー２０、この前カバー２０を裏側から照明する照明ランプ４３等の所要部材が装着されている。
【００２０】
パネル体４２の裏側には、図３に示すように、メダル投入口２７から投入されたメダルの真偽を選別するメダル選別手段４５と、メダル選別手段４５を通過した真正のメダルをメダルホッパー１６へと案内するメダルシュート４６と、メダル選別手段４５により排除された偽メダル及びメダル払い出し手段１７により払い出されたメダルを排出口３４を経てメダル受け皿３５へと排出するメダル排出通路４７とが設けられている。
【００２１】
パネル体４２は、図３、図４に示すように、メダル選別手段４５の装着部位の下側に、下方前側に若干傾斜する縦壁部４８と、この縦壁部４８の下側にジグザグ状に形成された屈曲壁部４９と、この屈曲壁部４９の後端から下方に延びる縦壁部５０と、この縦壁部５０の下端から後ろ下がりに傾斜する傾斜壁部５１と、この傾斜壁部５１の後端から下方前側に若干傾斜する縦壁部５２と、縦壁部５２の下端から後側に屈曲する底壁部５３とを一体に備えている。
【００２２】
屈曲壁部４９は、図４、図７に示すように、縦壁部４８の下端から後ろ下がりに傾斜する上傾斜部４９ａと、上傾斜部４９ａの下端から前下りに傾斜する中傾斜部４９ｂと、中傾斜部４９ｂの前端から後ろ下がりに傾斜する下傾斜部４９ｃとを有し、その上傾斜部４９ａと中傾斜部４９ｂとの間に、両者を上下に接続する補強リブ４９ｄが左右方向に複数個設けられている。下傾斜部４９ｃは上傾斜部４９ａ、中傾斜部４９ｂの後端よりも後方に突出しており、中傾斜部４９ｂと下傾斜部４９ｃとの間には、前側に凹入する凹入部４９ｅが形成されている。
【００２３】
パネル体４２の屈曲壁部４９から上側は、図４に示すように前カバー２０の後側に位置し、その前カバー２０の下側には、縦壁部５２に対応して金属板等の化粧板５８が前面側から装着され、この化粧板５８の前側にメダル受け皿３５が設けられている。縦壁部５２には開口部５２ａが、化粧板５８には排出口３４が互いに前後に相対応して形成され、これらを経てメダル排出通路４７からメダル受け皿３５へとメダルを排出するようになっている。
【００２４】
メダル排出通路４７は、図３〜図６に示すように、パネル体４２と、このパネル体４２の後側に装着された横断面コ字状の通路形成体５５とにより構成され、メダル選別手段４５の下側に開口し且つメダル選別手段４５の下側からパネル体４２の左右方向の中央側へと傾斜する傾斜通路部５６と、この傾斜通路部５６の下端から排出口３４側へと下方に延びる縦通路部５７とを有する。傾斜通路部５６はその上下方向の中途、即ちパネル体４２の屈曲壁部４９に対応する部分で後側に屈曲しており、上半分に対して下半分が後方に後退している。
【００２５】
通路形成体５５は上端部の左右両側、下端部の左右及び下側等の適当箇所に取り付け部５９を有し、その取り付け部５９がパネル体４２側に一体に形成された凸部６０に嵌合して裏側からネジ５９ａにより着脱自在に固定されている。また通路形成体５５はメダル払い出し手段１７のメダル出口４０の前側に近接する縦方向に後壁部６１と、排出口３４側へと前下りに傾斜する傾斜底壁６２とを有する。なお、傾斜通路部５６では、その下側の傾斜壁５６ａ上をメダルが滑り落ちるようになっている。
【００２６】
通路形成体５５の縦通路部５７は、図４〜図６に示すように、その前端側に嵌合縁部５７ａと当接縁部５７ｂとをＵ字状に備え、その嵌合縁部５７ａが縦壁部５２の開口部５２ａに嵌合し、当接部５７ｂが縦壁部５２に裏側から当接している。また縦通路部５７の内面には、傾斜底壁６２からその左右両側の側壁下部に跨がって正面視Ｕ字状の滑降板６３が装着されている。
【００２７】
滑降板６３は耐摩耗性を有し且つメダルを排出口３４側へと滑降させるためのもので、ステンレス板等の板金材から成り、傾斜底壁６２に対応する部分の前端下側の取り付け片６３ａが通路形成体５５の前端下部と化粧板５８との間に挟持された状態で、左右両側方への弾性力に抗して側壁７４間に嵌着されている。
【００２８】
そして、この滑降板６３には、図４〜図６、図８に示すように、傾斜底壁６２に対応する部分の前端に、化粧板５８の排出口３４の開口縁に上側（内側）から重合する重合部７５が形成され、この重合部７５の下側に取り付け片６３ａが設けられている。つまり、滑降板６３の前端部は化粧板５８の板厚内に突出しており、その突出端から下側に屈曲する下屈曲部６３ｂと、この下屈曲部６３ｂの下端から後方に屈曲し且つ排出口３４の下縁上面側に当接する後屈曲部６３ｃとを有し、これらにより重合部７５が形成されている。なお、後屈曲部６３ｃの後端から下方に取り付け片６３ａが屈曲形成されている。
【００２９】
後壁部６１には、図４に示すように、メダル払い出し手段１７のメダル出口４０と前後に対応するメダル入口６４が形成されると共に、このメダル入口６４の下側近傍に、不正工作防止部６５が一体に設けられている。メダル入口６４は傾斜通路部５６と縦通路部５７との接続位置にあり、メダル払い出し手段１７のメダル出口４０に合わせて、メダル排出通路４７の傾斜通路部５６の傾斜方向と略直交して形成されている。メダル入口６４の外周壁６４ａは筒状になって後側に突出している。
【００３０】
不正工作防止部６５は、メダル排出通路４７の排出口３４側からメダル出口４０への不正工作部材の挿入を阻止するためのもので、図４〜図６に示すように、メダル入口６４の下側に沿って斜め方向に傾斜し且つ後壁部６１の内面から前側に突出する挿入阻止壁６６によって構成されている。挿入阻止壁６６の下面側は、不正工作部材をメダル出口４０以外の方向へと案内する傾斜案内部６７となっており、その上側に補強リブ６６ａが設けられている。
【００３１】
パネル体４２の裏側には、図３、図４、図７に示すように、メダル排出通路４７に対応する部分に屈曲壁部４９から縦壁部５０に跨がって通路形成板６９が設けられている。通路形成板６９はステンレス板等の金属板から成り、屈曲壁部４９の上傾斜部４９ａに当接する上傾斜部６９ａと、縦壁部５０に当接し且つメダル払い出し手段１７からのメダルが衝突する衝突部６９ｂとを上下に有すると共に、中傾斜部４９ｂと下傾斜部４９ｃとの間に、上傾斜部６９ａの下側に段差６９ｃをおいて後下がりに傾斜状に形成され且つ凹入部４９ｅを上側から覆う下傾斜部６９ｄを有し、パネル体４２と通路形成体５５とによって挟持されている。なお、上傾斜部６９ａと下傾斜部６９ｄとにより、メダル選別手段４５からのメダルを後側に案内する傾斜案内部７０が構成されている。
【００３２】
通路形成板６９には図４、図７に示すように、その上端に前側に屈曲する屈曲部７１が設けられ、その屈曲部７１が縦壁部４８と上傾斜部４９ａとの境界部分で前側に凹入して左右方向に形成された溝状又は長孔状の挿入部７２内に挿入されている。衝突部６９ｂは後壁部６１のメダル入口６４と前後に対向しており、メダル払い出し手段１７により払い出されてメダル排出通路４７内に入ったメダルがこの衝突部６９ｂに衝突して落下するようになっている。
【００３３】
衝突部６９ｂの下端部はパネル体４２の縦壁部５０の下端まで達している。また通路形成板６９は衝突部６９ｂの上部側でネジ７３によりパネル体４２に固定されている。なお、通路形成板６９はメダル排出通路４７よりも左右両側に突出しているが、メダル排出通路４７と略同一幅でもよい。
【００３４】
上記構成において、メダル投入口２７にメダルを投入すると、そのメダル選別手段４５が真偽の選別を行い、偽メダルはメダル選別手段４５で排除され、真正のメダルのみがメダル選別手段４５を通過する。そして、メダル選別手段４５で排除された偽メダルは、メダル排出通路４７の上端開口側から傾斜通路部５６内へと落下する。そして、傾斜通路部５６でパネル体４２の後側に装着された通路形成板６９の傾斜案内部７０上に落下し衝突して、この傾斜案内部７０の傾斜に沿って通路形成体５５の傾斜壁５６ａ上へと案内され、その傾斜壁５６ａから縦通路部５７、排出口３４を経てメダル受け皿３５へと排出されて行く。
【００３５】
メダル排出通路４７の傾斜通路部５６は、パネル体４２の屈曲壁部４９の上下で前後に屈曲しているが、その屈曲壁部４９に対応して通路形成板６９の傾斜案内部７０を設けているので、この傾斜案内部７０で屈曲壁部４９を保護でき、屈曲壁部４９、特にその上傾斜部４９ａに対するメダルの衝突等による損傷を防止できる。
【００３６】
また屈曲壁部４９は上傾斜部４９ａ、中傾斜部４９ｂ、下傾斜部４９ｃを有するジグザグ状に構成しているため、パネル体４２の肉厚を略一定にしながらも容易に強度を確保できる。しかもメダル排出通路４７の途中にある屈曲壁部４９には、後上側に開口する凹入部４９ｅがあるが、その凹入部４９ｅを通路形成板６９の傾斜案内部７０で覆っているため、メダル排出通路４７を簡単な構造で容易に形成できる。
【００３７】
通路形成板６９の上端側は、その屈曲部７１をパネル体４２の挿入部７２に挿入しているため、傾斜案内部７０上に落下するメダルが、通路形成板６９の上端縁に引っ掛かって詰まる等の問題もなく、傾斜案内部７０によりメダルを円滑に案内できる。
【００３８】
メダル払い出し手段１７により払い出されたメダルは、そのメダル出口４０からメダルメダル入口６４を経てメダル排出通路４７へと入り、通路形成板６９の衝突部６９ｂに衝突してメダル受け皿３５へと案内されて行く。この場合にも、パネル体４２の縦壁部５０の後側に衝突部６９ｂを有する通路形成板６９があるため、その衝突部６９ｂでパネル体４２側を保護できる。また通路形成板６９は上側の傾斜案内部７０と衝突部６９ｂをくの字状に備え、その傾斜案内部７０は段差６９ｃを介して上傾斜部６９ａと下傾斜部６９ｄとを備えているため、単体での剛性も大であり、その取り扱いを容易にできる。
【００３９】
通路形成体５５の縦通路部５７内にメダルが溜まれば、排出口３４側から手を挿入して、その縦通路部５７内のメダルをメダル受け皿３５側へと掻き出すが、滑降板６３の前端に重合部７５があるため、化粧板５８との間に爪先が引っ掛かる等の問題もなく、メダルの掻き出しを容易且つ安全に行うことができる。
【００４０】
メダル排出通路４７の後壁部６１には、そのメダル入口６４の下側に不正工作防止部６５を構成する挿入阻止壁６６があるため、排出口３４からメダル排出通路４７を経て針金等の不正工作部材を挿入しても、その挿入阻止壁６６によってメダル入口６４からメダル払い出し手段１７のメダル出口４０側への挿入を阻止できる。特に挿入阻止壁６６の下側に傾斜案内部６７があり、その傾斜案内部６７によって不正工作部材をメダル入口６４以外の方向に案内するため、不正工作部材のメダル入口６４への挿入を困難にできる。
【００４１】
図９、図１０は第２の実施例を例示し、第１の実施例の滑降板６３を省略し、通路形成体５５の傾斜底壁６２の内面に耐摩耗層７６がコーティングされている。傾斜底壁６２の前端には、重合部７５が一体に形成され、その重合部７５が化粧板５８の排出口３４の下縁上に重合している。このように重合部７５を傾斜底壁６２に一体に形成しても、第１の実施例と同様の効果を得ることができる。
【００４２】
図１１は第３の実施例を例示する。この実施例では、滑降板６３の前端部は化粧板５８の前端よりも前側に突出している。そして、滑降板６３の前端部に、下屈曲部６３ｂと後屈曲部６３ｃとを有する重合部７５が、化粧板５８の前端よりも前側に突出して形成されている。なお、重合部７５の突出量は、化粧板５８が厚い場合には、その板厚が未満が望ましいが、化粧板５８が薄い場合には、その板厚よりも大にしてもよい。
【００４３】
このように重合部７５は、邪魔にならない範囲で化粧板５８の前側に突出させてもよく、このようにすれば、重合部７５と化粧板５８の排出口３４の下縁との間に爪等が引っ掛かるようなこともない。
【００４４】
以上、本発明の実施例について詳述したが、本発明はこの実施例に限定されるものではなく、本発明の趣旨を逸脱しない範囲で種々の変更が可能である。例えば、前面パネル３の骨格体を構成するパネル体４２は、上下方向に複数個に分割したものでもよい。また通路形成板６９の傾斜案内部７０は、段差６９ｃを介して上傾斜部６９ａと下傾斜部６９ｄとを備えているが、段差６９ｃのないものでもよい。その場合、凹入部４９ｅ内に補強リブ等を設けて、その補強リブを傾斜案内部７０の下側に当接させてもよい。
【００４５】
パネル体４２の屈曲壁部４９は、後下がりに傾斜する傾斜部を有する構造であればよく、必ずしもジグザグ状に構成する必要はない。メダル排出通路４７は、その前側をパネル体４２の一部で構成すればよい。
【００４６】
不正工作防止部６５は、メダル払い出し手段１７のスイッチ４１が近接型の場合には、それを電磁的に作動させるための不正工作部材の接近を阻止するものでもよく、メダル入口６４からメダル出口４０側への挿入を阻止する以外のものでもよい。また挿入阻止壁６６は、複数本の突起により構成してもよい。
【００４７】
重合部７５は各実施例のように傾斜底壁６２に対応する部分に設ける他、通路形成体５５の排出口３４側の端部の全周に設けてもよい。また縦壁部５２の前側に化粧板５８がない場合には、排出口３４を縦壁部５２に形成することになるため、その場合には、重合部７５は縦壁部５２に重合するように構成すればよい。更に重合部７５の前端は、排出口３４を有する化粧板５８又は縦壁部５２の前端と略面一上であることが望ましいが、重合部７５は排出口３４を有する化粧板５８又は縦壁部５２等の板材の開口縁の後端よりも前側に突出するものであればよい。
【００４８】
また遊技媒体としてメダルを使用するスロットマシンを例示しているが、メダル以外の遊技媒体を使用するものでもよい。更にパチンコ機その他の弾球遊技機、又はスロットマシン、弾球遊技機以外の遊技機においても同様に実施することが可能である。
【図面の簡単な説明】
【００４９】
【図１】本発明の第１の実施例に係るスロットマシンの全体斜視図である。
【図２】同筐体側の正面図である。
【図３】同前面パネル側の要部の背面図である。
【図４】同パネル体下部の縦断面図である。
【図５】同通路形成体の背面図である。
【図６】同通路形成体の斜視図である。
【図７】同通路形成板の装着状態の斜視図である。
【図８】同排出口側の拡大断面図である。
【図９】本発明の第２の実施例に係る通路形成耐の斜視図である。
【図１０】同排出口側の拡大断面図である。
【図１１】本発明の第３の実施例に係る排出口側の拡大断面図である。
【符号の説明】
【００５０】
３  前面パネル
３４  排出口
３５  メダル受け皿
４２  パネル体
４７  メダル排出通路
５２ａ  開口部
５８  化粧板
６２  底壁
６３  滑降板
７５  重合部
【図１】
2007296044.tif 000003
【図２】
2007296044.tif 000004
【図３】
2007296044.tif 000005
【図４】
2007296044.tif 000006
【図５】
2007296044.tif 000007
【図６】
2007296044.tif 000008
【図７】
2007296044.tif 000009
【図８】
2007296044.tif 000010
【図９】
2007296044.tif 000011
【図１０】
2007296044.tif 000012
【図１１】
2007296044.tif 000013